(57)【特許請求の範囲】
【請求項１】
端部に径方向外方に突出した突出部を有する棒状商品を壁面等に設けたフックに吊り下げて陳列するための係止具であって、可撓性を有する帯状の薄板でなり、前記突出部の下方に巻き付けられて両端部が重ね合わされて接合され、中間部は裁頭円錐様の商品係止用筒状部に形成されると共に、前記重なり合った両端部は該商品係止用筒状部よりも上方に延出され、該延出部に前記フックに係合する係止穴が設けられ、少なくとも内側に重ね合わされる一方の端部は商品説明を付記可能な面積を有する幅広に形成されていることを特徴とする棒状商品の陳列用吊り下げ係止具。
【請求項２】
前記帯状の薄板が厚紙でなることを特徴とする請求項１記載の棒状商品の陳列用吊り下げ係止具。
【発明の詳細な説明】
【０００１】
【発明の属する技術分野】
本発明は、野球のバットの様な端部に径方向外方に突出する突出部を有する棒状商品を壁面等に吊り下げて陳列するための陳列用吊り下げ係止具に関する。
【０００２】
【従来の技術】
一般に、野球のバットやスキーストック等の棒状商品を店内に展示陳列するにあたっては、棒状商品の長さよりも高さの低い陳列箱内に多数を立て掛けて収納陳列するか、あるいは棒状商品の長さよりも高い位置に平行に配した２本のシャフトを有する陳列スタンドを用いて、当該シャフト間に棒状商品の突出部を係止させて一列に並べて吊り下げるようにしている。
【０００３】
【発明が解決しようとする課題】
しかしながら、多数の棒状商品を陳列箱内に立て掛けて収納陳列させるようにすると、陳列状態で商品の全体を視認することができず、また購買者が商品を手にして確認するために陳列箱内から出し入れする際に、商品表面あるいはその表面を覆う保護フィルム等に傷を付けてしまい易く、商品価値を低下させてしまうという問題があった。また、陳列箱を設置するためのスペースを広く必要とするといった問題もあった。
【０００４】
一方、陳列スタンドに吊り下げて一列に並べて多数の商品を陳列すると、中央部に吊り下げてある商品を取り出すのがやっかいで、購買者は商品を手に取って確認し難いといった問題があった。
【０００５】
本発明は、この様な事情に鑑みてなされたものであり、その目的は、野球のバットやスキーストックといった棒状商品を壁などに着脱容易に吊り下げて陳列することができ、もって購買者が商品を手に取って商品確認をするのが容易で、見栄えにも優れ、しかも商品表面に傷も付け難い棒状商品の陳列用吊り下げ係止具を提供することにある。
【０００６】
【課題を解決するための手段】
上記の目的を達成するために、本発明では、端部に径方向外方に突出した突出部を有する棒状商品を壁面等に設けたフックに吊り下げて陳列するための係止具を以下のように構成する。
【０００７】
即ち、棒状商品の陳列用吊り下げ係止具は可撓性を有する帯状の薄板でなり、前記突出部の下方に巻き付けられて両端部が重ね合わされて接合され、中間部は裁頭円錐様の商品係止用筒状部に形成されると共に、前記重なり合った両端部は該商品係止用筒状部よりも上方に延出され、該延出部に前記フックに係合する係止穴が設けられ、少なくとも内側に重ね合わされる一方の端部は商品説明を付記可能な面積を有する幅広に形成されている。
【０００８】
当該棒状商品の陳列用吊り下げ係止具によれば、棒状商品は径方向外方に突出する突出部を有した一端部側が上方にされて、当該突出部がその下方部位に巻き付けられて裁頭円錐様の筒体状に湾曲形成された帯状薄板中間部の商品係止用筒状部にて係止されると共に、重ね合わされて接合された帯状薄板の両端部に設けられた係止穴が壁面等に取り付けられているフックに係合されて吊り下げ陳列される。この際、係止穴は商品係止用筒状部よりも上方に設けられているから、フックに吊り下げられた状態では、商品係止用筒状部に加わる棒状商品の重みは、当該筒状部に対してその下部側の径を窄ませるように働き、棒状商品は筒状部抜け落ちることがない。また、商品は個々に単独で壁面のフック等に吊り下げられるから、購買者は容易に着脱して商品を手にとって確認できるし、その際に他の商品と擦れ合ったりすることがなく、表面に傷などを付ける虞れがない。また、商品係止用筒状部から上方に延出された一端部の内面に商品名やその長さ及び重さなどの商品説明を付記しておくことができるので、購買者は先ず陳列状体で商品を視認した上で更にこれを手にとって確認検討できる。
【０００９】
また、壁面に吊り下げて整然と陳列できるので、陳列スペースの省スペース化が図れるだけでなく、商品の視認性に優れ、見栄えも向上させることができる。
【００１０】
【発明の実施の形態】
以下に、本発明の好適な実施の形態例について添付図面に基づき詳述する。
【００１１】
図１は本発明に係わる棒状商品の陳列用吊り下げ係止具の正面からの斜視図であり、図２はその陳列状体の様子を示す斜め上方からの斜視図である。図示するように、この実施形態では陳列用吊り下げ係止具２は棒状商品として野球のバット４用に作製されており、バット４の一端のグリップ側に径方向外方に突出して一体的に膨出形成されている突出部たるグリップエンド６の下方部位に巻き付けられて使用されるようになっている。ここで、当該陳列用吊り下げ係止具２は例えば厚紙や合成樹脂等の可撓性を有する帯状の薄板１０からなり、その両端部１０ａ，１０ｂは重ね合わされてステープラー１２等で接合されて、中間部１０ｃが商品係止用の筒状部１４として形成される。
【００１２】
また、中間部１０ｃが巻き付けられて湾曲形成される筒状部１４は下部側が小径で上部側が大径な裁頭円錐様をなし、帯状薄板１０の両端部１０ａ，１０ｂはその筒状部１４から上方に延びて延出部１６を形成するようになっている。
【００１３】
そして、この延出部１６に両端部１０ａ，１０ｂを貫通する係止穴１８が設けられ、この係止穴１８が壁面あるいはディスプレー用間仕切り等に取り付けられたフック２０に係合されるようになっている。なお、この係止穴１８は図示しないが切り欠き溝状に形成しても良い。
【００１４】
また、帯状薄板１０の両端部１０ａ，１０ｂのうち、少なくとも内側に重ね合わされる一方の端部１０ａは幅広に形成されていて、その内表面に商品名やその重さ及び長さ等の商品説明を印字あるいはシールを貼着して付記可能な面積を有する商品説明書きエリアＡが確保されている。
【００１５】
図３は当該陳列用吊り下げ係止具２の未使用状態における展開図である。図示するように吊り下げ係止具２を形成する帯状薄板１０は展開状態ではノの字状をなし、一方の端部１０ａは幅広な矩形状に形成されて商品説明書きエリアＡが確保されている。中間部１０ｃは上記一方の端部１０ａから斜め左に延びて形成され、その幅は徐々に狭くなってゆき中央部分で最も狭くなった後、再び広くなりながら他方の端部１０ｂに繋がっていく。この中間部１０ｃにおける左側の縁部２２は、バット４のグリップエンド６の下方部位に巻き付けられた際に裁頭円錐様の筒状部１４の大径な上縁部１４ａを形成する一方、右側の縁部２４は同様に筒状部１４の小径な下縁部１４ｂを形成するようになっており、左側縁部２２よりも右側縁部２４の方が曲率の大きい曲線となっている。そして、帯状薄板１０はグリップエンド６に巻き付けられるにあたって、端部１０ｂ側が端部１０ａの図示する右側から回し込まれてその裏面に重ね合わされ、係止穴１４，１４が一致された状態でステープラー１２等によって接合されるようになっている。なお、ここで両端部１０ａ，１０ｂの接合は係止穴１４，１４にブッシュ部材をはめ込んで行うようにすることもでき、このようにすればかなりの重量にも耐えられる。
【００１６】
また、帯状薄板１０を作製するに当たっては、グリップエンド６に実際に型紙を巻き付け、係止具２として望ましい強度、並びに見た目の美しいフォルムが得られるように裁断するという試行を繰り返してその展開形状を求め、これを元にして打ち抜き型を形成して量産するようにする。
【００１７】
また、この実施形態では棒状商品として野球のバット４に本発明の陳列用吊り下げ係止具２を適用する例を挙げたが、スキーストックや杖等の多種の棒状商品にも適用し得る。
【００１８】
【発明の効果】
以上に詳細に説明したように、本発明に係わる棒状商品の陳列用吊り下げ係止具によれば、棒状商品は径方向外方に突出する突出部を有する一端部側が上方にされて、当該突出部の下方に巻き付けられる帯状薄板の中間部にて形成される下側が小径な裁頭円錐様の商品係止用筒状部にて係止されると共に、重ね合わされて接合された帯状薄板の両端部に設けた係止穴が壁面等に取り付けられているフックに係合されて吊り下げ陳列されるが、係止穴は商品係止用筒状部よりも上方に設けられているから、フックに吊り下げられた状態では、商品係止用筒状部に加わる棒状商品の重みは、当該筒状部に対してその下部側の径を窄ませるように働き、棒状商品は筒状部から抜け落ちることがない。
【００１９】
また、棒状商品は係止具によって個々に壁面等のフックに吊り下げられるから、購買者は容易に商品を壁面等から着脱して手にとって確認できるし、その際に他の商品と擦れ合ったりすることがなく、表面に傷などを付ける虞れがない。また、商品係止用筒状部から上方に延びる帯状薄板の一端部の内面側に商品名やその長さ及び重さなどの商品説明を付記しておくことができるので、購買者は先ず陳列状体で商品を視認した上で更にこれを手にとって確認検討できる。
【００２０】
さらに、壁面やディスプレー用間仕切り等に設けたフックに吊り下げて整然と陳列できるので、陳列スペースの省スペース化が図れるだけでなく、商品の視認性に優れ、見栄えも向上させることができる。
【００２１】
また、帯状薄板に厚紙を使用すれば、廉価であり、両端部の接合もステープラーを用いて簡易に行うことができる。
【図面の簡単な説明】
【図１】本発明に係る棒状商品の陳列用吊り下げ係止具を示す正面からの斜視図である。
【図２】陳列状体の様子を示す斜め上方からの斜視図である。
【図３】図１の陳列用吊り下げ係止具の未使用状態の展開図である。
【符号の説明】
２  陳列用吊り下げ係止具
４  バット（棒状商品）
６  グリップエンド（突出部）
１０  帯状薄板
１０ａ  一端部
１０ｂ  他端部
１０ｃ  中間部
１２  ステープラー
１４  （商品係止用）筒状部
１６  係止穴
Ａ  商品説明書きエリア
【図１】
0003978266.tif 000002
【図２】
0003978266.tif 000003
【図３】
0003978266.tif 000004